【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
下顎に固定されるように構成された下顎骨固定プレートであって、
下顎の後縁の形状にほぼ対応する主脚と、
この主脚から出て斜めに延びる補助脚であって、補助脚がこの下顎のＳ字ノッチの形状にほぼ対応する、補助脚と、
を有する下顎骨固定プレート。
【請求項２】
前記主脚は、前記主脚の近位端に隣接する近位部分及び前記主脚の遠位端に隣接する対向する遠位部分と、この近位端とこの遠位端の間の距離によって定められる長さとを定める請求項１に記載の下顎骨固定プレート。
【請求項３】
前記長さは、約２０ｍｍから約４５ｍｍである請求項２に記載の下顎骨固定プレート。
【請求項４】
前記遠位部分は、前記近位部分よりも長い請求項２に記載の下顎骨固定プレート。
【請求項５】
前記主脚は、前記近位部分及び前記遠位部分の各々を通って延びる少なくとも１つの骨固定開口を形成する請求項２に記載の下顎骨固定プレート。
【請求項６】
前記主脚は、前記補助脚に面する主内側側壁と、前記主内側側壁と対向する主外側側壁とを形成し、前記主内側側壁及び前記主外側側壁の各々は前記近位端及び前記遠位端の間を延び、前記補助脚は、前記主内側側壁から出て延びる請求項５に記載の下顎骨固定プレート。
【請求項７】
前記主内側側壁及び前記主外側側壁は、前記骨固定開口のうちの少なくとも１つに整列した位置に対して骨固定開口の隣接する対の間の位置において互いにより近く配置される請求項６に記載の下顎骨固定プレート。
【請求項８】
前記主脚は、ファスナを受け入れる第１の面と、骨固定プレートが下顎に固定された時に下顎に面する前記第１の面と対向する第２の面とを更に形成する請求項５に記載の下顎骨固定プレート。
【請求項９】
前記開口は、円筒形である請求項５に記載の下顎骨固定プレート。
【請求項１０】
前記主脚は、前記近位及び遠位部分の間を延びる中間領域を更に形成する請求項５に記載の下顎骨固定プレート。
【請求項１１】
前記中間領域は、骨固定開口を欠いており、かつ固定プレートが下顎に取り付けられた時に骨折部位の上を延びる請求項１０に記載の下顎骨固定プレート。
【請求項１２】
前記補助脚は、前記主脚の前記中間領域から延びる請求項１１に記載の下顎骨固定プレート。
【請求項１３】
前記固定プレートが下顎に取り付けられた時に、前記主内側側壁は、前記主外側側壁に対して前方にあり、前記補助脚は、前記主内側側壁から前方に延びる請求項６に記載の下顎骨固定プレート。
【請求項１４】
前記補助脚は、近位端と、前記近位端と対向する遠位端を更に形成し、この補助脚は、この補助脚のこの近位端において前記主脚に取り付けられる請求項１に記載の下顎骨固定プレート。
【請求項１５】
前記補助脚は、ファスナを受け入れるように構成された少なくとも１つの骨固定開口を形成する請求項１４に記載の下顎骨固定プレート。
【請求項１６】
前記補助脚は１対の骨固定開口、及び内側及び外側側壁を形成し、前記補助脚の前記内側及び外側側壁は、前記１対の骨固定開口のうちの少なくとも１つに整列した位置に対して前記１対の骨固定開口の間の位置において互いにより近く配置される請求項１５に記載の下顎骨固定プレート。
【請求項１７】
前記補助脚は、この補助脚の前記近位端に隣接して配置された近位部分と、この補助脚の前記遠位端に隣接して配置された遠位部分とを形成し、少なくとも１つの前記骨固定開口は、この遠位部分内に配置され、この近位部分は、骨固定開口を欠いており、かつ骨固定プレートが下顎に取り付けられた時に骨折の上を延びるように構成される請求項１５に記載の下顎骨固定プレート。
【請求項１８】
それぞれの取り付け位置において前記主脚及び前記補助脚のうちの少なくとも一方に接続された支持脚を更に有する請求項１２に記載の下顎骨固定プレート。
【請求項１９】
前記主脚及び前記補助脚のうちの前記少なくとも一方は、前記それぞれの取り付け位置を超えて延びない請求項１８に記載の下顎骨固定プレート。
【請求項２０】
複数の骨固定プレートを有するキットであって、各骨固定プレートが、
近位端、対向する遠位端、この近位及び遠位端の間を延び、前記固定プレートが下に重なる骨に取り付けられた時に骨折部位の上を延びるように構成された中間領域を有する主脚と、
前記主脚から出て斜めに延びる補助脚と、を有し、
前記主脚は、下顎の後縁の形状にほぼ対応し、前記補助脚は、下顎のＳ字ノッチの形状にほぼ対応する、キット。
【請求項２１】
前記複数の骨固定プレートは、少なくとも１つの左向きの骨固定プレートと、この左向きの骨固定プレートに対して実質的に対称である少なくとも１つの右向きの骨固定プレートとを有する請求項２０に記載のキット。
【請求項２２】
前記主脚は、ほぼ真っ直ぐであり、前記補助脚は、前記主脚に面する補助内側側壁と、前記補助内側側壁と対向する補助外側側壁とを有し、前記補助脚は、実質的に湾曲された中心軸線に沿って細長く形成され、前記補助脚の前記実質的に湾曲された中心軸線が前記補助外側側壁に対して凹形状である請求項２０に記載のキット。
【請求項２３】
前記主脚は、ほぼ真っ直ぐであり、前記補助脚は、前記主脚に面する補助内側側壁と、前記補助内側側壁と対向する補助外側側壁とを有し、前記補助脚は、実質的に湾曲された中心軸線に沿って細長く形成され、この前記実質的に湾曲された中心軸線が前記補助外側側壁に対して凹形状であり、前記補助脚は、前記下顎のＳ字ノッチの形状にほぼ対応する、請求項１に記載の下顎骨固定プレート。
【請求項２４】
前記実質的に湾曲された中心軸線は、所定の曲率半径を形成する請求項２３に記載の下顎骨固定プレート。
【請求項２５】
前記所定の曲率半径は、一定である請求項２４に記載の下顎骨固定プレート。
【請求項２６】
前記補助脚の中心軸線に沿った複数の点における前記所定の曲率半径は、約１０ｍｍから約３０ｍｍの間である請求項２４に記載の下顎骨固定プレート。
【請求項２７】
前記主脚は、ほぼ真っ直ぐな中心軸線に沿って細長く形成され、前記下顎骨固定プレートは、複数の骨固定開口を備え、複数の骨固定開口は、前記下顎骨固定プレートの全ての骨固定開口を含み、前記複数の骨固定開口は、前記骨固定開口の各々が前記ほぼ真っ直ぐな中心軸線及び前記実質的に湾曲された中心軸線のうち少なくとも１つの上に置かれるように配置されている請求項２３に記載の下顎骨固定プレート。
【請求項２８】
下顎に固定されるように構成された下顎骨固定プレートであって、
近位部分と、前記近位部分から遠位方向に離間された遠位部分と、前記近位部分から前記遠位部分まで延びる中間領域と、を形成する主脚であって、前記主脚は、第１の骨固定開口と、前記第１の骨固定開口から前記遠位方向に離間された前記第２の骨固定開口とを形成し、前記第１の骨固定開口及び前記第２の骨固定開口の各々が、前記近位部分内に配置され、前記主脚は、前記第３の骨固定開口と、前記第３の骨固定開口から前記遠位方向に離間された第４の骨固定開口とを形成し、前記第３の骨固定開口及び前記第４の骨固定開口の各々は、前記遠位部分内に配置され、前記中間領域は、前記第２の骨固定開口と前記第３の骨固定開口との間において配置され、いくつかの骨固定開口を欠いており、前記主脚は、主内側側壁と、前記主内側側壁と対向する主外側側壁とを有している、前記主脚と、
前記主内側側壁に面する補助内側側壁と、前記補助内側側壁と対向する補助外側側壁とを有している補助脚であって、前記補助脚は、前記主脚から外に延び、前記主内側側壁及び前記補助内側側壁は前記主脚の前記中間領域において交差し、前記補助脚は、前記下顎のＳ字ノッチの形状にほぼ対応している、前記補助脚と、を備えている下顎骨固定プレート。
【請求項２９】
前記補助脚は、実質的に湾曲された中心軸線に沿って細長く形成され、前記実質的に湾曲された中心軸線が前記補助外側側壁に対して凹形状であり、前記補助脚は、湾曲されている、請求項２８に記載のキット。
【請求項３０】
下顎に固定されるように構成された下顎骨固定プレートであって、
主中心軸線に沿って細長く形成された主脚であって、前記主脚は、近位部分と、前記近位部分から前記主中心軸線に沿って遠位方向に離間された遠位部分と、前記近位部分から前記遠位部分まで延びる中間領域と、を形成し、前記主脚は、内側側壁と、前記内側側壁と対向する外側側壁とを有し、前記主脚は、前記近位部分内に配置された第１の骨固定開口及び第２の骨固定開口を形成し、前記第２の骨固定開口は、前記第１の骨固定開口から前記遠位方向に沿って離間され、前記主脚は、前記遠位部分を通って延びる少なくとも１つの骨固定開口を形成し、前記中間領域はその長さに沿ったいくつかの骨固定開口を欠いている、前記主脚と、
前記中間領域の所定位置において前記主脚の前記内側側壁から出て斜めに延びる補助脚であって、前記補助脚は、前記下顎のＳ字ノッチの形状にほぼ対応する、前記補助脚と、
前記主脚と前記補助脚との間において形成されている隙間であって、前記隙間は、前記主中心軸線と垂直な方向において測定される幅を形成し、第１の位置における前記隙間の幅は、前記第１の位置から前記遠位方向に離間された第２の位置における前記隙間の幅よりも小さい、前記隙間と、を備えている下顎骨固定プレート。
【請求項３１】
前記補助脚は、実質的に湾曲された補助中心軸線に沿って細長く形成され、前記実質的に湾曲された補助中心軸線は、前記補助脚が湾曲されるように、前記内側側壁に対して凸形状である請求項３０に記載の下顎骨固定プレート。